(57)【要約】【課題】  外部から異物が挿入されにくい遊技機用基板ユニットを提供する。【解決手段】  本発明による遊技機用基板ユニットは、遊技機の動作を制御する半導体回路装置を有する基板と、該基板上に配置されて該半導体回路装置と外部回路との電気的接続をなすコネクタと、該コネクタを外部に露出せしめる開口部を備えて該基板を囲繞する基板カバーと、該コネクタの底部の周縁から突出して該基板に接するつば状体と、を含む。つば状体は該コネクタとは別体であっても良い。また、該つば状部には突出部が設けられており、該基板カバーは該突出部が嵌合する凹部を有することとしても良い。【選択図】  図２
2006167249.tif 000002
【特許請求の範囲】
【請求項１】
遊技機の動作を制御する半導体回路装置を有する基板と、
前記基板上に配置されて前記半導体回路装置と外部回路との電気的接続をなすコネクタと、
前記コネクタを外部に露出せしめる開口部を備えて前記基板を囲繞する基板カバーと、
前記コネクタの底部の周縁から突出して前記基板に接するつば状体と、を含むことを特徴とする遊技機用基板ユニット。
【請求項２】
前記つば状体は前記コネクタとは別体であることを特徴とする請求項１記載の遊技機用基板ユニット。
【請求項３】
前記つば状体は前記コネクタと一体であることを特徴とする請求項１記載の遊技機用基板ユニット。
【請求項４】
前記つば状体は前記基板と前記基板カバーとの間に挟持されていることを特徴とする請求項１記載の遊技機用基板ユニット。
【請求項５】
前記つば状体は弾性材からなることを特徴とする請求項１記載の遊技機用基板ユニット。
【請求項６】
前記つば状体は突出部を有し、
前記基板カバーは前記突出部が嵌合する凹部を有する、ことを特徴とする請求項１記載の遊技機用基板ユニット。
【請求項７】
前記つば状体は前記コネクタの底部を受容する開口を有することを特徴とする請求項２記載の遊技機用基板ユニット。
【請求項８】
前記つば状体は前記コネクタの底部と前記基板との間に挟持されていることを特徴とする請求項２記載の遊技機用基板ユニット。
【発明の詳細な説明】
【技術分野】
【０００１】
本発明は、遊技機を制御する半導体回路装置を担う基板を含む遊技機用基板ユニットに関する。
【背景技術】
【０００２】
近年、パチンコ機およびスロットマシーン等の遊技機は、遊技盤に設けられる入賞装置および表示装置等を制御して遊技の興趣を盛り上げるものが主流となっている。この入賞装置および表示装置の制御はＩＣ，ＬＳＩ等の多数の半導体回路装置を配設したロジック制御回路基板またはマイクロコンピュータを有する制御回路基板により行われ、この制御回路基板は基板カバーに覆われている。制御回路基板を基板カバーで覆うことによって、制御回路基板への接触行為等の不正行為（いわゆるゴト行為）を回避している。
【０００３】
しかし、基板カバーには制御回路基板のコネクタに接続される配線ケーブルを導出する導出口を穿設しなければならず、かかる導出口を介して基板カバーに被包された制御回路基板に接触することができる故、制御回路基板への不正行為を完全に防止することができなかった。
【０００４】
そこで、導出口を閉鎖する仕切部材（側壁板）を用いて制御回路基板への接触行為を防止する技術が提案されている（例えば特許文献１および２参照）。かかる技術によれば、制御回路基板上のコネクタ位置より内側位置に仕切部材を立設することによって、制御回路基板のコネクタ位置より内側に実装された電子部品等への接触を回避することができる。また、基板カバーにコネクタを導出する開口部を設けて、制御回路基板上のコネクタと配線ケーブルとを接続することができる。
【特許文献１】特開平１１‐１１４１８４号公報
【特許文献２】特開２０００‐１８５１５６号公報
【発明の開示】
【発明が解決しようとする課題】
【０００５】
ところが、基板カバーからコネクタを導出せしめる該開口部は、基板へのコネクタの実装誤差、基板に基板カバーを取り付ける際の組付誤差等の種々の要因からなる公差を考慮して設けられることから、コネクタと基板カバーの開口縁との間に隙間が生じていた。かかる隙間は基板を露出せしめることから、当該隙間を介してピアノ線等の異物が外部から挿入され、基板カバーに覆われた制御回路基板に接触することができていた。すなわち、制御回路基板に接触して行われる不正行為を完全に防ぐことができなかった。
【０００６】
本発明は上述した問題点を解決するためになされたものであり、コネクタと開口縁との間の隙間から異物が挿入されることを防止して、回路基板への不正行為を防止することができる遊技機用基板ユニットを提供することを目的としている。
【課題を解決するための手段】
【０００７】
請求項１に記載の遊技機用基板ユニットは、遊技機の動作を制御する半導体回路装置を有する基板と、該基板上に配置されて該半導体回路装置と外部回路との電気的接続をなすコネクタと、該コネクタを外部に露出せしめる開口部を備えて該基板を囲繞する基板カバーと、該コネクタの底部の周縁から突出して該基板に接するつば状体と、を含むことを特徴とする。
【発明を実施するための最良の形態】
【０００８】
以下、本発明による遊技機用基板ユニットを、添付図面を参照しつつ詳細に説明する。
（実施例１）
図１および図２に示す如く、遊技機用基板ユニット１は、遊技機の動作を制御する半導体回路装置（図示せず）を有する基板２と、基板２を囲繞する第１および第２基板カバー３，４と、を含む。第１および第２基板カバー３，４は略矩形の皿状体であり、基板２を第１基板カバー３内に収納した状態で互いの開口面を対向させて合致させることにより、第１および第２基板カバー３，４によって形成される空間内に基板２を配設することができる。第１および第２基板カバー３，４はネジ等の固定手段５によって結合されている。
【０００９】
基板２は、例えば第１基板カバー３に対してネジ等の固定手段（図示せず）によって適宜固着されている。基板２上にはコネクタ６が配置されており、コネクタ６は遊技機の入賞装置および表示装置等の外部装置と電気的に接続するための配線ケーブルが結合できる。コネクタ６は、基板２上の半導体回路装置（図示せず）と配線ケーブルとを電気的に接続するためのコンタクト部７と、コンタクト部７を支持する支持部８とを含んでいる。コンタクト部７は、基板２に設けられたコンタクトホール（図示せず）内に挿入されて基板２上の配線（図示せず）に結合されており、基板２上の半導体回路装置（図示せず）と電気的に接続されている。支持部８はその底部において基板２に担持されている。第２基板カバー４には、コネクタ６を外部に露出せしめる開口部９が設けられており、開口部９からコネクタ６が導出されている。
【００１０】
支持部８の底部において、コネクタ６の周縁から突出して基板２に接するつば状体１０が形成されている。つば状体１０は、コネクタ６とは別体であり、シート状の樹脂部材からなることとしても良い。つば状体１０には支持部８の底部が受容できる開口１１が形成されている。当該開口１１は、図３に示す如く、該底部の形状と同一の形状を有することとしても良い。つば状体は、コネクタが基板に対して固定された後に該コネクタを該開口に通して挿入することによって設置されても良い。また、予め該つば状体を基板上に配置した後に、該コネクタを該つば状体の該開口に挿入させつつ基板に固定することによって、該つば状体を設置することとしても良い。つば状体１０が配設された基板２はネジ等の固定手段５により結合された第１および第２基板カバー３，４によって覆われ、基板カバー４の開口部９とコネクタ６との間の隙間の位置における基板２がつば状体１０によって覆われている。
【００１１】
上記の如き構成によれば、つば状体がコネクタの周縁において基板を覆うことによって、第２基板カバーの開口部の開口縁とコネクタとの隙間を介して外部からピアノ線等の異物が強引に挿入されにくくすることができる。すなわち、つば状体によって基板への接触が防止されて、不正行為がなされることを回避することができる。
【００１２】
なお、コネクタ６の支持部８の底部の面積とつば状体１０の基板２と対向する側とは反対側の主面の面積との合計が第２基板カバー４の開口部９の開口面積よりも大であることが好ましい。すなわち、第２基板カバーの開口部とコネクタとによって形成される隙間において、基板をつば状体によって完全に覆うことにより、異物が基板と接触することを防止することができる。なお、図３に示す如く、つば状体１０が基板２と第２基板カバー４との間に挟持されていることとしても良い。かかるつば状体１０は基板２と第２基板カバー４とに密着していることが好ましく、つば状体１０は例えばゴム系部材等の弾性材からなることとしても良い。
【００１３】
なお、つば状体１０が弾性材からなる場合、つば状体１０の開口１１を支持部８の底部よりも若干小さく形成し、つば状体１０を支持部８の底部に嵌め合わせる際にその弾性力を利用してつば状体１０と支持部８とを密着せしめることとしても良い。かかる構成によれば、弾性力を利用してつば状体とコネクタとの接合面から異物が挿入されることを防ぐことができる。
（実施例２）
変形例として、つば状体は突出部を有することとしても良い。例えば、図４（ａ）に示す如く、つば状体１０は、一方の主面から垂直方向に突出する突出部１２が形成されていることとしても良い。突出部１２は、例えばつば状体１０の外縁に沿って形成されている１本の突条であることとしても良い。なお、図４（ａ）において突出部１２はつば状体１０の外縁に沿って平行に形成されて“口”字状の壁となっているもののこれに限定されない。
【００１４】
図４（ｂ）に示す如く、第２基板カバー４に凹部１３が設けられており、突出部１２が凹部１３に嵌合することとしても良い。なお、凹部１３の大きさは、突出部１２が嵌め込まれる大きさであれば良く、突出部１２と同一若しくは突出部１２よりも僅かに大きくすることが好ましい。なお凹部１３を突出部１２よりも僅かに大きくすることにより遊びができて、つば状体１０の位置に依存することなく突出部１２を凹部１３に嵌め込むことができる。
【００１５】
上記の如く、つば状体に突出部を設けかつ第２基板カバーに突出部が嵌合する凹部を形成することによって、異物が強引に挿入されることをより完全に防ぐことができる。なお、突出部１２の断面形状は、例えば矩形（図５（ａ））、台形（図５（ｂ））、逆台形（図５（ｃ）、図５（ｄ））、半円形（図５（ｅ））等の任意の形状としても良い。突出部の表面を複雑にすることによって、異物の侵入をより効果的に防ぐことができる。また、突出部に係止爪を形成し、凹部に該係止爪が係合する係合部が形成されても良い。第２基板カバーに対してつば状体が遊離することを防止することができる。
【００１６】
また、つば状体には複数の突出部が設けられていることとしても良い。例えば、図６（ａ）に示す如く、つば状体１０に複数の突出部１２が形成され、第２基板カバー４に突出部１２をぞれぞれ受容する凹部１３が形成されていることとしても良い（図６（ｂ））。第２基板カバーとつば状体とが嵌合する面を複雑にすることによって、異物が外部から強引に挿入されることをより防止することができる。なお、複数の突出部が設けられている場合、各突出部の高さが異なっていることとしても良い。
（実施例３）
図７（ａ）に示す如く、基板２に複数の種類のコネクタ６が並べられて実装される場合、かかるコネクタ６の配置に対応した複数の開口１１を有するつば状体１０が使用されても良い（図７（ｂ））。かかる構成によれば、複数のコネクタに対応してつば状体を配置する手順を単純にすることができる。
【００１７】
なお、基板２に複数の種類のコネクタ６が実装される場合において、図７（ｃ）に示す如く、コネクタ６ごとに対応するつば状体１０を使用することとしても良い。かかる構成によれば、基板上に配置されるコネクタの位置およびコネクタの種類が基板の仕様によって変更される場合であっても、つば状体がコネクタごとに共通化されていることから、当該仕様ごとにつば状体を作製する必要がなく、製造コストを削減することができる。また、使用後の遊技機用基板ユニットからつば状体を回収して再使用することもできる。
【００１８】
図８に示す如く、支持部８の底部に脚部１４が設けられていて、基板２とコネクタ６とが密着せずにコネクタ６と基板２との間に隙間Ｈが形成される場合、つば状体１０の厚さＴは少なくとも脚部の高さ以上（Ｔ≧Ｈ）であることが好ましい。脚部によって形成される基板とコネクタとの隙間から異物が挿入されることを防ぐことができる。
【００１９】
なお、つば状体は接着剤等の固着手段によって適宜基板に固定されても良い。
（実施例４）
図９に示す如く、つば状体１０がコネクタ６と基板２との間に挟持されてもよい。すなわち、つば状体１０の開口１１の開口面積を支持部８の底部の面積よりも小として、つば状体１０をコネクタ６の支持部８と基板２とによって挟持せしめることとしても良い。つば状体の開口の周縁部をコネクタと基板とによって密着せしめることにより、コネクタの縁から異物が強引に挿入されることを防止することができる。
（実施例５）
変形例として、コネクタとつば状体とが一体的に形成されていることとしても良い。図１０に示す如く、コネクタ６のうちコンタクト部７を支持する支持部８において、その底部から周縁に突出するつば状体１０が一体的に形成されていることとしても良い。支持部につば状体を一体的に形成することによって、つば状体を設置する作業とコネクタを実装する作業とを統一することができる。また、つば状体と支持部との間に間隙が形成されないことから、かかる位置における異物の挿入を防止することができる。
【００２０】
なお、かかるつば状体は、つば状体がコネクタとは別体であるものとして上記した実施例とほぼ同様の形態を採用することができる。例えば、当該つば状体は、樹脂部材からなることとしても良い。また、当該つば状体の基板と対向する側とは反対側の主面の面積と支持部の底部の面積の合計が第２基板カバーの開口部の開口面積以上であることが好ましい。さらにまた、当該つば状体の外縁の近傍に突出部が形成されても良い。
【図面の簡単な説明】
【００２１】
【図１】本発明による遊技機用基板ユニットの平面図である。
【図２】本発明による遊技機用基板ユニットの一部分解斜視図である。
【図３】図１のＡ−Ａ線断面図である。
【図４】本発明による遊技機用基板ユニットのつば状体の変形例を示す図であり、（ａ）はつば状体の斜視図、（ｂ）は図１のＡ−Ａ線断面図である。
【図５】本発明による遊技機用基板ユニットのつば状体の変形例を示す部分断面図である。
【図６】本発明による遊技機用基板ユニットのつば状体の変形例を示す図であり、（ａ）はつば状体の斜視図、（ｂ）は図１のＡ−Ａ線断面図である。
【図７】本発明による遊技機用基板ユニットのつば状体の変形例を示す図であり、（ａ）は基板上に実装されたコネクタとつば状体を示す平面図であり、（ｂ）は（ａ）に示されたつば状体の平面図であり、（ｃ）は別の変形例によるつば状体の平面図である。
【図８】本発明による遊技機用基板ユニットのつば状体の変形例を示す図１のＡ−Ａ線断面図である。
【図９】本発明による遊技機用基板ユニットのつば状体の変形例を示す図１のＡ−Ａ線断面図である。
【図１０】本発明による遊技機用基板ユニットのコネクタの変形例を示す斜視図である。
【符号の説明】
【００２２】
１          遊技機用基板ユニット
２          基板
３          第１基板カバー
４          第２基板カバー
６          コネクタ
７          コンタクト部
８          支持部
９          開口部
１０        つば状体
１１        開口
１２        突出部
１３        凹部
【図１】
2006167249.tif 000003
【図２】
2006167249.tif 000004
【図３】
2006167249.tif 000005
【図４】
2006167249.tif 000006
【図５】
2006167249.tif 000007
【図６】
2006167249.tif 000008
【図７】
2006167249.tif 000009
【図８】
2006167249.tif 000010
【図９】
2006167249.tif 000011
【図１０】
2006167249.tif 000012